(57)【要約】【課題】気泡を含む気泡噴流を浴槽内に噴出する噴出ノズル構造および循環アダプタにおいて、気泡噴流を周囲に拡散させることなく、目標方向に進行可能な気泡噴流を得る。【解決手段】噴出ノズル４８は、気泡噴流噴出口２４を中心とした同心円状の外側ガード５２と、外側ガード５２の内方に内側ガード５３とから構成している。内側ガード５３は、浴槽１に向かってテーパ状に拡開すると共に十字状の開口５４を有する内壁部５５と、内壁部５５の浴槽１側縁部と内側ガード５３の反浴槽１側縁部とを連結する円筒状の外壁部５６と、上下左右の４ヶ所に形成され、内側ガード５３の内外を連通可能に貫通する還流孔５７とから構成される。尚、外側ガード５２は、内壁部５５と略平行となるように、浴槽１に向かってテーパ状に拡開している。【選択図】  図５
2010017374.tif 000002
【特許請求の範囲】
【請求項１】
気泡を含む気泡噴流を浴槽内に噴出する噴出ノズル構造において、
気泡噴流を噴出する噴出口の周囲に同心円状の二重ガードを設け、
前記二重ガードのうち、内側ガードに気泡噴流を内側ガードの外側から前記噴出口側に還流させる還流孔を形成したことを特徴とする噴出ノズル構造。
【請求項２】
前記内側ガードに複数の還流孔を周方向に所定間隔おきに形成したことを特徴とする請求項１に記載の噴出ノズル構造。
【請求項３】
新規湯水の供給を行う湯張運転モードと、浴槽の湯水を循環加熱して再度浴槽に供給を行う追焚運転モードと、気泡噴流の供給を行う気泡運転モードとを有し、夫々の運転モードで噴流と噴出口とを切替え可能な循環アダプタであって、
前記気泡運転モードのとき、気泡噴流を噴出する噴出口の周囲に同心円状の二重ガードを設け、
前記二重ガードのうち、内側ガードに気泡噴流を内側ガードの外側から前記噴出口側に還流させる還流孔を形成したことを特徴とする循環アダプタ。
【請求項４】
追焚運転モードと気泡運転モードとに応じて切替え可能な夫々の噴出口と、
追焚運転モードと気泡運転モードとの噴流流路を切替え可能な切替手段とを有し、
前記切替手段は温度感応部材によって付勢される開閉可能な弁体を有し、この弁体は噴流温度の変化によって駆動されると共に、所定温度以上で追焚運転モードの噴流流路に切替えることを特徴とする請求項３に記載の循環アダプタ。
【発明の詳細な説明】
【技術分野】
【０００１】
本発明は風呂給湯器から浴槽に湯水を供給するために浴槽に取付けて使用される循環アダプタに関し、特に、気泡噴流を噴出する噴出ノズル構造及びそのノズルを備えた循環アダプタに関するものである。
【背景技術】
【０００２】
従来、浴槽の風呂給湯システムは、風呂給湯器から新規な高温の湯水が供給される湯張運転モード、浴槽内の湯水を再度風呂給湯器に戻して加熱、再供給する追焚運転モード、微細な気泡を湯水に混在させて気泡噴流を浴槽に噴出させる気泡運転モード等消費者のニーズに合せて様々な湯水の供給形態を有している。
【０００３】
浴槽に取付けられる湯水噴出口、所謂循環アダプタにおいてはアダプタ単体で複数の運転モードの噴流を実現可能としなければならない。例えば、追焚運転モードでは安全の側面から高温の噴流が使用者に向かないよう浴槽下方に向けて噴出する必要がある一方、気泡運転モードでは噴流を使用者に向けて前方へ集中噴出する必要があり、これを一つの循環アダプタによって運転モード毎に噴出方向を切替える必要がある。
【０００４】
一方、循環アダプタの噴出口、特に、気泡運転モードの噴出口は正面に向かって設置されていることから、噴出口に指を挿入して噴出口を閉塞することがあり、この場合、噴出口から湯水が全く噴出されなくなり、噴流流路内で湯水の流れの停止を生じていた。
【０００５】
特許文献１には、気泡噴流噴出口の周囲に設けられるノズル構造であって、ノズルの周壁にノズルの内外を連通する連通孔を設けると共に、ノズル内部に対する指詰防止板を設置した技術が提案されている。この構成により、ノズル内部に指の挿入を防止しつつ、仮にノズル先端を閉塞したとしても、湯水は連通孔からノズル外部に進行できるため、湯水の流れの停止を防止できる。
【０００６】
【特許文献１】実用新案登録第２５４９０１１号公報
【発明の開示】
【発明が解決しようとする課題】
【０００７】
特許文献１のノズル構造では、噴出口の閉塞を防止しつつ、指詰めによる湯水の流れの停止を防止でき、更に、ノズルの設置により、噴流の前方へ向けた集中噴出に有効である。
しかしながら、ノズル出口直後における噴流の進行方向が定まらないという新たな問題が発生する。
【０００８】
図８に、本出願人が現在開発中の循環アダプタを示す。
図８に示すように、気泡運転モードでは、高速高圧の噴流を噴出口前方に向けて噴出するため、進行する噴流の圧力と噴出口周囲の湯水圧力とに圧力差が生じる。噴出ノズルの設置により、噴流の進行方向をガイドした場合、流速が高められた噴流とノズル出口周囲の圧力差は、更に大きくなる。
【０００９】
噴流とノズル出口周囲とに大きな圧力差が生じると、ノズル出口周囲に負圧が発生したと同じ状況となり、ノズル直後の噴流は、図８に模式的に示すように、噴出された途端にノズル出口外周に拡散し、目標とされる使用者に向かって進行しないという現象が生じる。前記のような噴流の拡散現象は、噴流の圧力が高い程、また流速が速い程顕著になる傾向にある。また、湯水に比べて、気泡に作用する圧力の影響は大きいことが原因と考えられる。
【００１０】
本発明の目的は、気泡を含む気泡噴流を浴槽内に噴出する噴出ノズル構造および循環アダプタにおいて、噴出口から噴出された気泡噴流を周囲に拡散させることなく、目標方向に進行可能な気泡噴流を得ることである。
【課題を解決するための手段】
【００１１】
請求項１の発明は、気泡を含む気泡噴流を浴槽内に噴出する噴出ノズル構造において、気泡噴流を噴出する噴出口の周囲に同心円状の二重ガードを設け、二重ガードのうち、内側ガードに気泡噴流を内側ガードの外側から噴出口側に還流させる還流孔を形成したことを特徴とするものである。
【００１２】
請求項１の発明では、内側ガードに気泡噴流を内側ガードの外側から前記噴出口側に還流させる還流孔を形成することにより、噴出口直後に発生する負圧を内側ガードの外側の噴流に作用させることができる。また、内側ガードと同心円状の外側ガードが存在しているため、前記負圧をノズル出口近傍に集中して作用させることができる。
【００１３】
請求項２の発明は、請求項１において、内側ガードに複数の還流孔を周方向に所定間隔おきに形成したことを特徴とするものである。
【００１４】
請求項３の発明は、新規湯水の供給を行う湯張運転モードと、浴槽の湯水を循環加熱して再度浴槽に供給を行う追焚運転モードと、気泡噴流の供給を行う気泡運転モードとを有し、夫々の運転モードで噴流と噴出口とを切替え可能な循環アダプタであって、気泡運転モードのとき、気泡噴流を噴出する噴出口の周囲に同心円状の二重ガードを設け、二重ガードのうち、内側ガードに気泡噴流を内側ガードの外側から噴出口側に還流させる還流孔を形成したことを特徴とするものである。
【００１５】
請求項４の発明は、請求項３において、追焚運転モードと気泡運転モードとに応じて切替え可能な夫々の噴出口と、追焚運転モードと気泡運転モードとの噴流流路を切替え可能な切替手段とを有し、切替手段は温度感応部材によって付勢される開閉可能な弁体を有し、この弁体は噴流温度の変化によって駆動されると共に、所定温度以上で追焚運転モードの噴流流路に切替えることを特徴とするものである。
【発明の効果】
【００１６】
請求項１の発明によれば、気泡を含む気泡噴流を浴槽内に噴出する噴出ノズル構造において、気泡噴流を噴出する噴出口の周囲に同心円状の二重ガードを設け、二重ガードのうち、内側ガードに気泡噴流を内側ガードの外側から噴出口側に還流させる還流孔を形成したため、ノズル出口直後の噴流を周囲に拡散させることなく、目標方向に進行可能とできる。
【００１７】
つまり、噴出口直後に発生する負圧を内側ガードの外側で、且つノズル出口近傍に作用させることで、目標方向に進行する噴流の周囲にリング状の流れ、所謂流体による噴流ガイドを形成し、気泡噴流を目標位置に向かって周囲に拡散させることなく進行させることができる。
【００１８】
請求項２の発明によれば、内側ガードに複数の還流孔を周方向に所定間隔おきに形成したため、流体によるガイドが進行する噴流の周囲に亙って形成されることから、更に、気泡噴流を周囲に拡散させることなく目標位置に向かって進行させることができる。
【００１９】
請求項３の発明によれば、新規湯水の供給を行う湯張運転モードと、浴槽の湯水を循環加熱して再度浴槽に供給を行う追焚運転モードと、気泡噴流の供給を行う気泡運転モードとを有し、夫々の運転モードで噴流と噴出口とを切替え可能な循環アダプタであって、気泡運転モードのとき、気泡噴流を噴出する噴出口の周囲に同心円状の二重ガードを設け、二重ガードのうち、内側ガードに気泡噴流を内側ガードの外側から噴出口側に還流させる還流孔を形成したため、基本的に請求項１と同様の効果を有する循環アダプタを得ることができる。
【００２０】
請求項４の発明によれば、追焚運転モードと気泡運転モードとに応じて切替え可能な夫々の噴出口と、追焚運転モードと気泡運転モードとの噴流流路を切替え可能な切替手段とを有し、切替手段は温度感応部材によって付勢される開閉可能な弁体を有し、この弁体は噴流温度の変化によって駆動されると共に、所定温度以上で追焚運転モードの噴流流路に切替えるため、循環アダプタ内で噴流温度を感応し噴流流路を切替えることによって、コントローラ等既存の設備から独立した自律動作が循環アダプタ単体で可能となる。しかも、気泡噴流噴出口から適した温度の気泡噴流しか噴出されない。
【発明を実施するための最良の形態】
【００２１】
以下、本発明を実施する為の最良の形態について実施例に基づいて説明する。
【実施例】
【００２２】
図１に示すように、実施例の風呂供給システムは、浴槽１、風呂給湯器２、循環回路３及び循環アダプタ４から構成される。風呂給湯器２は燃焼部と熱交換部とからなる熱供給部５と水や湯水を循環させるためのポンプ６とから構成され、夫々の機器はコントローラ７によって制御される。また、コントローラ７は操作パネル８に電気的に接続されており、使用者が操作パネル８上に設置されている運転モード毎に設けられた押し釦を押すことによって風呂の湯張指示や各種モード選択信号がコントローラ７に伝達され風呂給湯器２の作動が開始される。
【００２３】
湯張時及びその他給湯時の水や湯水の流通回路について説明する。導入路９に導入された水が第１流量センサ１０を経て熱供給部５に供給され、排出路１１を通って浴槽１及びその他の給湯系装置に供給される経路となっている。
気泡運転時及び追焚運転時には、循環回路３は復路１２と往路１３とから構成されている。ポンプ６の作動により循環アダプタ４から吸入された浴槽１の湯水は復路１２を経て熱供給部５で加熱されて往路１３を通り循環アダプタ４から浴槽１に供給される経路となっている。ポンプ６の下流の復路１２には第２流量センサ１４が設けられ、安全上の観点から３．５Ｌ/分以上の流量がなければ熱供給部５の加熱動作は行われない。尚、排出路１１と復路１２とは分岐排出路１５で接続されており、その連通は電磁弁１６により制御される。尚、１７はガス供給路を示している。
【００２４】
次に、循環アダプタ４について図２及び図３に基づいて説明する。
図２は循環アダプタ４の断面図、図３は循環アダプタ４の各機構を平面状に展開し、模式化して表した作動模式図を示す。
図２に示すように、循環アダプタ４は、浴槽１の外側に配設される第１筒状体１８と、浴槽１の内部側から槽壁１ａに貫通状に配設されて第１筒状体１８に螺合される第２筒状体１９とを有している。第１、第２筒状体１８，１９は夫々フランジを備えており、環状パッキン２０，２１により槽壁１ａと両フランジとのシール性を確保している。
【００２５】
第２筒状体１９の内周側には、第２筒状体１９にボルト２２により固定される切替弁ケース２３が配設され、この切替弁ケース２３の表面前方には水平方向に開口する気泡噴流噴出口２４と吸込口２５とが設けられると共に、槽底方向に向かって横穴状の追焚噴流噴出口２６（図３参照）が形成されている。循環アダプタ４の浴槽側表面部分には、切替弁ケース２３を覆う形で、噴出ノズル４８を備えるカバー部２７が装着されている。
【００２６】
第１筒状体１８の端壁部２８には、吸入管２９と吐出管３０と吸気管３１の３つのポート部分が形成されており、吸入管２９は往路１３と、吐出管３０は復路１２とに夫々連結されている。吸気管３１は、フィルタ、オリフィス及び逆止弁等を備えた図示しない吸気ユニットと吸気パイプを介して接続されている。
【００２７】
切替弁ケース２３は、第２筒状体１９の内周面に嵌合する外筒部３２と、外筒部３２と協働して複数の機能空間を形成する内筒部３３とを備える。つまり、外筒部３２と内筒部３３とによって切替弁ケース２３内部には、気泡噴流噴出口２４が設けられる円柱状の旋回室３４及び吸込口２５が設けられる吸込室３５、更に、図３に示すように、旋回室３４と並設されると共に連通路３６で接続される旋回予備室３７、旋回予備室３７と並設されると共に追焚噴流噴出口２６と連通可能な供給室３８及び旋回予備室３７と供給室３８とに対して反浴槽側に直列状に配置される吸入室３９の５つの機能空間が存在している。尚、旋回予備室３７、供給室３８及び吸入室３９等は、図２において、紙面後方側に配置されている。
【００２８】
旋回室３４には浴槽側先端が円錐形状の吸気ノズル４０が設置されている。この吸気ノズル４０の内部には吸気管３１と連続する吸気孔４１が設けられており、吸気孔４１から導入された空気を旋回室３４の長手方向中央部分に設けられた連通路３６の開口に向けて供給するように構成されている。
【００２９】
連通路３６はその接続方向が円柱状の旋回室３４に対して接線方向となるように連通されている。この構成により、旋回予備室３７から導入される湯水が旋回室３４の内周形状に沿って高速旋回することになり、空気の吸引、気泡の微細化及び所定周波数の超音波の発生等に適した旋回回転数を得ることができる。尚、本循環アダプタ４においては、旋回回転数を３０，０００〜４０，０００回転/分となるように構成されている。
旋回予備室３７には、反浴槽側にバネで付勢される逆止弁４２が設置されており、吸入室３９からの湯水の流れのみを許容している。
【００３０】
切替弁ケース２３には、内筒部３３を貫通し、湯水の噴出口を気泡噴流噴出口２４と追焚噴流噴出口２６とに切替え制御する噴出口切替部４３が設けられている。噴出口切替部４３は、第１切替弁４４と、この第１切替弁４４を浴槽側端部に固定する軸部４５と、この軸部４５の反浴槽側端部に固定される第２切替弁４６とで構成されている。
【００３１】
第２切替弁４６は、旋回予備室３７と吸入室３９との連通状態を制御すると共に、吸入室３９と供給室３８とを常時連通させるように構成される。第１切替弁４４と第２切替弁４６との位置関係は、第１切替弁４４が供給室３８を閉鎖している時は第２切替弁４６が開弁し、逆に、第２切替弁４６が旋回予備室３７を閉鎖している時は第１切替弁４４が開弁するようにされている。
【００３２】
端壁部２８と第２切替弁４６との間には形状記憶合金製バネ４７が配置されている。
具体的に説明すると、湯水が低温或いは常温時では、形状記憶合金製バネ４７は収縮状態となっている。この時、第１切替弁４４は供給室３８を閉鎖すると共に第２切替弁４６は開弁していることから湯水は旋回予備室３７、連通路３６を経て旋回室３４に供給される。次に、高温の湯水、例えば４８℃の湯水が循環アダプタ４内に供給されると、形状記憶合金製バネ４７が温度変化に感応して伸張し、第１切替弁４４が開弁し第２切替弁４６が閉弁する。
【００３３】
図１、図３及び図４に基づいて、各運転モードにおける作動について説明する。尚、図１は気泡運転モード、図３は湯張運転モード、図４は追焚運転モードを示している。
操作パネル８の操作によって、循環アダプタ４は、湯張運転モード、追焚運転モード及び気泡運転モードが実行可能である。
【００３４】
（気泡運転モード）
図１に示すように、操作パネル８上で気泡運転モードを選択すると、コントローラ７がポンプ６を作動させ、浴槽内の湯水を吸込口２５から吸込室３５を経て復路１２に導入する。この時、熱供給部５は作動しておらず、復路１２に導入された温度のまま湯水は循環し往路１３を通り吸入室３９に導入される。吸入室３９内部に設置された形状記憶合金製バネ４７がこの湯水温度に感応して収縮動作を行い、第１切替弁４４を閉弁すると共に第２切替弁４６を開弁動作させる。尚、既に形状記憶合金製バネ４７が収縮している場合は、その状態を維持することになる。
【００３５】
吸入室３９から旋回予備室３７に入った湯水は連通路３６を通り連通路開口から旋回室３４に導入される。
連通路３６は旋回室３４の接線方向に接続されているため、湯水は旋回室３４の長手方向の中心軸を中心に高速旋回を行い、所定の負圧が旋回室３４内に発生する。この負圧により、空気は吸気ユニットから吸気孔４１を経由して旋回室３４の中央部分に吸引され、湯水と混合されることになる。この気泡混合湯水が旋回しながら水平方向に開口する気泡噴流噴出口２４から噴出される。
【００３６】
（湯張運転モード）  
図１に示すように、操作パネル８で湯張運転モードを選択すると、水が導入路９に導入され熱供給部５に移動した水は加熱された後、排出管１１に進行する。この時、コントローラ７の指示により、電磁弁１６が開作動して湯は分岐排出管１５を経由して復路１２に導かれて一部の湯水は復路１２から循環アダプタ４へ導入され、吸込口２５から供給される。尚、吸込口２５から湯水が供給されるのは湯張運転モードの時のみである。
【００３７】
図３に示すように、残りの湯水は往路１３を通り吸入室３９に導入される。吸入室３９に導入された湯水の温度（例えば、５０℃）を吸入室３９内部に設置された形状記憶合金製バネ４７が温度感応して伸張し、第２切替弁４６が旋回予備室３７への経路を遮断すると共に第１切替弁４４を開作動する。湯水を供給室３８から浴槽下向きの追焚噴流噴出口２６に送られる。
【００３８】
（追焚運転モード）
図４に示すように、追焚運転モードを選択すると、コントローラ７の指示によりポンプ６及び熱供給部５が作動を開始し、浴槽内の湯水を吸込口２５から復路１２に導入する。熱供給部５により加熱された湯水は往路１３を通り吸入室３９に導入される。吸入室３９以降の経路は湯張運転モードと同様である。尚、電磁弁１６は非作動となっており、分岐排出管１５と循環回路３との接続は遮断されている。
【００３９】
図５〜図７に基づき、気泡噴流噴出口２４の噴出ノズル４８について説明する。
図５はカバー部２７の正面図、図６は図５のVI−VI線断面図、図７は図５のVII−VII線断面図を示す。
カバー部２７は、カバー部２７の前方表面の大半を形成する金属製の網部材からなる金網部４９と、金網部４９の中央下方で吸込口２５の正面に位置する樹脂製の中央部５０と、中央部５０の上方に隣接し、気泡噴流噴出口２４の正面に装着される樹脂製の噴出ノズル４８と、第２筒状体１９と切替弁ケース２３のフランジに装着可能な外周フランジ部５１とから構成している。
【００４０】
噴出ノズル４８は、気泡噴流噴出口２４を中心とした同心円状の外側ガード５２と、外側ガード５２の内方に内側ガード５３とから構成している。
内側ガード５３は、浴槽１に向かってテーパ状に拡開すると共に十字状の開口５４を有する内壁部５５と、内壁部５５の浴槽１側縁部と外側ガード５２の反浴槽１側縁部とを連結する円筒状の外壁部５６と、上下左右の４ヶ所に９０°毎に形成され、内側ガード５３の内側と外側とを連通可能に貫通する還流孔５７とから構成される。尚、外側ガード５２は、内壁部５５と略平行となるように、浴槽１に向かってテーパ状に拡開している。
【００４１】
本噴出ノズル４８の作用効果について、説明する。
図６に示すように、気泡運転モードが選択された場合、破線で示す気泡が混合されたＡ方向の噴流が旋回しながら循環アダプタ４の気泡噴流噴出口２４から噴出され、開口５４を通過進行する。
内側ガード５３により、気泡噴流噴出口２４から噴出された噴流の進行をガイドするため、高速のＡ方向の噴流と噴出ノズル４８の出口直後の周囲との圧力差は大きくなり、Ａ方向の噴流は出口周囲の負圧によって外周方向、例えば矢印Ｃで表す方向に吸引されることになる。このＣ方向の噴流が連続的に発生した場合、Ａ方向の噴流が噴出ノズル４８の出口直後で強制的にその軌道を変更され、目標位置、所謂使用者に向かう進行が阻害される。（図８参照）
【００４２】
気泡噴流噴出口２４直後には、高速噴流の噴出に基づくベンチュリ効果により負圧が発生している。
また、内側ガード５３の周囲には９０°間隔に４ヶ所の還流孔５７が形成され、内側ガード５３の内外を連通可能に貫通しているため、気泡噴流噴出口２４直後の負圧をＣ方向の噴流に作用させることができる。浴槽１に向かってテーパ状に拡開している外側ガード５２は、前記負圧をＣ方向の噴流に集中して作用させるガイド機構となっている。
【００４３】
負圧により吸引されたＣ方向の噴流は、図６に示すＢ方向の流れとなって気泡噴流噴出口２４直後に向かって進行する。このとき、外側ガード５２は吸引された噴流を気泡噴流噴出口２４から噴出されるＡ方向の噴流に合流させるガイド機構となっている。
【００４４】
前記内壁部５５の浴槽１側縁部を中心とするリング状のＢ方向の噴流が、内側ガード５３の上下左右の４箇所に形成されることから、噴出ノズル４８の出口周囲の圧力を上昇させることができ、Ａ方向の噴流と噴出ノズル４８の出口周囲の圧力差を減少できる。
換言すれば、Ｂ方向の噴流による噴流ガイドを形成することで、Ｃ方向の噴流を遮断し、Ａ方向に向かう噴流が弱まることを防止している。
以上のことから、Ａ方向に向かう噴流は２点鎖線で示す軌道を通って使用者に向かって進行することができる。
【００４５】
次に、前記実施例を部分的に変更した変形例について説明する。
１〕前記実施例においては、還流孔を４ヶ所に形成した例について説明したが、周方向に所定の小間隔おきに更に細かく形成することで、気泡噴流の指向性を更に上昇させることができる。
【００４６】
２〕前記実施例においては、噴出ノズルの内外ガードを浴槽に向かってテーパ状に拡開した形状とした例について説明したが、その拡開角度は仕様に応じて変更可能であり、少なくとも流体による噴流ガイドを形成できるものであればよく、円筒形状の噴出ノズルにも適用できる。
【００４７】
３〕前記実施例においては、湯張運転モードと追焚運転モードと気泡運転モードとの３モードを備える例について説明したが、その他のモードを備えてもよく、少なくとも、高速高圧で噴出される運転モードを有するものであれば何れの噴出口にも適用できる。
【００４８】
４〕その他、当業者であれば、本発明の趣旨を逸脱することなく、前記実施例に種々の変更を付加した形態で実施可能であり、本発明はそのような変更形態も包含するものである。
【図面の簡単な説明】
【００４９】
【図１】本発明の実施例に係る風呂給湯システムの全体説明図である。
【図２】本実施例に係る循環アダプタの断面図である。
【図３】湯張運転時における循環アダプタの作動模式図である。
【図４】追焚運転時における循環アダプタの作動模式図である。
【図５】本実施例に係る循環アダプタの正面図である。
【図６】図５におけるVI−VI線断面を示す図である。
【図７】図５におけるVII−VII線断面を示す図である。
【図８】本発明の課題を説明する循環アダプタの模式図である。
【符号の説明】
【００５０】
１      浴槽
２      風呂給湯器
４      循環アダプタ
２４    気泡噴流噴出口
２５    吸込口
２６    追焚噴流噴出口
４３    噴出口切替部
４４    第１切替弁
４６    第２切替弁
４７    形状記憶合金製バネ
４８    噴出ノズル
５２    外側ガード
５３    内側ガード
５７    還流孔  
【図１】
2010017374.tif 000003
【図２】
2010017374.tif 000004
【図３】
2010017374.tif 000005
【図４】
2010017374.tif 000006
【図５】
2010017374.tif 000007
【図６】
2010017374.tif 000008
【図７】
2010017374.tif 000009
【図８】
2010017374.tif 000010